(57)【要約】【課題】販売商品の新価格、旧価格から新価格への変更日時の情報を効率よく再確認する。【解決手段】複数の商品選択釦と、複数の商品収容室と、前記複数の商品選択釦、前記複数の商品収容室、前記複数の商品収容室に収容される商品の現在価格、前記商品の変更価格の情報を対応付けて記憶する記憶部と、を有する自動販売機において、前記複数の商品選択釦の何れかが操作された場合、前記記憶部を参照することにより、前記商品選択釦に対応する前記商品収容室に収容される商品の現在価格および変更価格の情報を読み出す制御部と、前記制御部からの前記商品の現在価格および変更価格の情報に基づいて、前記商品の現在価格および変更価格を切替表示する表示部と、を備えたことを特徴とする【選択図】      図１
2005174080.tif 000002
【特許請求の範囲】
【請求項１】
複数の商品選択釦と、複数の商品収容室と、前記複数の商品選択釦、前記複数の商品収容室、前記複数の商品収容室に収容される商品の現在価格、前記商品の変更価格の情報を対応付けて記憶する記憶部と、を有する自動販売機において、
前記複数の商品選択釦の何れかが操作された場合、前記記憶部を参照することにより、前記商品選択釦に対応する前記商品収容室に収容される商品の現在価格および変更価格の情報を読み出す制御部と、
前記制御部からの前記商品の現在価格および変更価格の情報に基づいて、前記商品の現在価格および変更価格を切替表示する表示部と、
を備えたことを特徴とする自動販売機。
【請求項２】
前記表示部は、一定時間または一定回数、前記商品の現在価格および変更価格を切替表示することを特徴とする請求項１に記載の自動販売機。
【請求項３】
前記制御部は、前記商品選択釦に対応する前記商品収容室、当該商品収容室に収容される商品の現在価格および変更価格の情報を読み出し、
前記表示部は、前記商品収容室の記号、前記商品の現在価格および変更価格を切替表示することを特徴とする請求項１に記載の自動販売機。
【請求項４】
前記表示部は、一定時間または一定回数、前記商品収容室の記号、前記商品の現在価格および変更価格を切替表示することを特徴とする請求項３に記載の自動販売機。
【請求項５】
前記記憶部は、前記複数の商品収容室に収容される商品の現在価格を変更しない場合、前記複数の商品収容室に対応する商品の変更価格を一定値として記憶し、
前記制御部は、前記記憶部に記憶される全商品の変更価格が一定値である場合、前記表示部の切替表示を禁止することを特徴とする請求項１乃至４の何れかに記載の自動販売機。
【請求項６】
複数の商品選択釦と、複数の商品収容室と、前記複数の商品選択釦、前記複数の商品収容室、前記複数の商品収容室に収容される商品の現在価格、前記商品の変更価格、前記商品の現在価格から変更価格への変更時期の情報を対応付けて記憶する記憶部と、を有する自動販売機において、
前扉に配設される操作部が操作された場合、前記記憶部を参照することにより、前記商品の現在価格から変更価格への変更時期の情報を読み出す制御部と、
前記制御部からの前記商品の現在価格から変更価格への変更時期の情報に基づいて、前記商品の現在価格から変更価格への変更時期を表示する表示部と、
を備えたことを特徴とする自動販売機。
【請求項７】
前記表示部は、前記商品の現在価格から変更価格への変更時期として、年、月日、時刻を切替表示することを特徴とする請求項７に記載の自動販売機。
【請求項８】
前記商品の現在価格から変更価格への変更時期は、前記複数の商品収容室に共通することを特徴とする請求項６または７に記載の自動販売機。
【発明の詳細な説明】
【技術分野】
【０００１】
本発明は、自動販売機に関する。
【背景技術】
【０００２】
自動販売機の販売商品の価格を変更する場合、接客用扉の背面等に着脱自在に装着されるリモコンを操作して変更価格、旧価格（現在価格）から新価格（変更価格）への変更日時を入力する必要がある。この場合、自動販売機の接客動作、販売動作等を制御する制御部は、リモコンからの新価格、変更日時の情報を管理しており、これにより、自動販売機の販売商品の価格は、変更日時に旧価格から新価格へ変更されることとなる。
【特許文献１】特開平１０−１６２２０８号公報
【発明の開示】
【発明が解決しようとする課題】
【０００３】
一般に、自動販売機の販売商品の価格を変更する場合、ルートマンが管轄区域内に接地される複数の自動販売機を適宜巡回して、接客用扉の開閉操作とリモコンの入力操作を行っている。そのため、新価格、変更日時の情報を当該変更日時前に再確認する場合、以下の問題を生じる。
【０００４】
つまり、各自動販売機における新価格および変更日時の情報を再確認する都度、接客用扉の解施、接客用扉の開放、リモコンの確認入力、接客用扉の閉塞、接客用扉の施錠という煩雑な操作を実行する必要があるため、多大な労力と時間を要して非効率的であった。
【０００５】
更に、店主が店舗先または店舗内に設置される自動販売機の接客用扉の鍵を管理している場合、ルートマンは、各自動販売機における新価格および変更日時の情報を再確認する都度、店主から鍵を借り受ける必要があるため、店主から迷惑がられる恐れがあった
そこで、本発明は、販売商品の新価格、旧価格から新価格への変更日時の情報を効率よく再確認できる自動販売機を提供する。
【課題を解決するための手段】
【０００６】
前記課題を解決するための主たる発明は、複数の商品選択釦と、複数の商品収容室と、前記複数の商品選択釦、前記複数の商品収容室、前記複数の商品収容室に収容される商品の現在価格、前記商品の変更価格の情報を対応付けて記憶する記憶部と、を有する自動販売機において、前記複数の商品選択釦の何れかが操作された場合、前記記憶部を参照することにより、前記商品選択釦に対応する前記商品収容室に収容される商品の現在価格および変更価格の情報を読み出す制御部と、前記制御部からの前記商品の現在価格および変更価格の情報に基づいて、前記商品の現在価格および変更価格を切替表示する表示部と、を備えたことを特徴とする。
【発明の効果】
【０００７】
本発明によれば、自動販売機の販売商品の新価格、旧価格から新価格への変更日時の情報を効率よく再確認することが可能となる。
【発明を実施するための最良の形態】
【０００８】
本明細書および添付図面の記載により、少なくとも以下の事項が明らかとなる。
【０００９】
＝＝＝自動販売機の筐体構成の一例＝＝＝
図６、図７を参照しつつ、本発明にかかる自動販売機の筐体構成の一例について説明する。図６は、自動販売機の接客用扉を閉塞した状態を示す斜視図である。図７は、自動販売機の接客用扉を開放した状態を示す斜視図である。尚、本実施形態で説明する自動販売機は、例えば煙草商品を販売することとする。
【００１０】
接客用扉１０２は、自動販売機１００の前面右端に支軸を有して開閉するものである。つまり、接客用扉１０２は、リモコン１２６を用いる煙草商品の販売価格の設定、商品収容室１２４（商品コラム）への煙草商品の補充、メンテナンス等を行う際に解錠して開放し、通常販売を行う際に閉塞して施錠する。パネル１０４は、例えば透明の樹脂板であり、内部に陳列される複数種類の煙草商品の見本１０６を確認するためのものである。つまり、自動販売機１００の利用者は、パネル１０４越しに見本１０６を確認することにより、購入を希望する煙草商品を決定することが可能となる。尚、パネル１０４として、煙草商品の写真、図柄等を印刷した樹脂板を適用してもよい。硬貨投入口１０８は硬貨を投入する場所であり、投入硬貨は自動販売機１００の内部に配設される硬貨識別装置（不図示）に供給される。紙幣挿入口１１０は紙幣を挿入する場所であり、挿入紙幣は自動販売機１００の内部に配設される紙幣識別装置（不図示）に供給される。表示部１１２は、煙草商品を通常販売するとき、投入硬貨金額、挿入紙幣金額、釣銭金額等を表示するものである。尚、表示部１１２は、ＬＥＤ、ＬＣＤ、有機ＥＬ等の表示素子を用いて構成することが可能である。商品選択釦１１４は、販売可ランプ（不図示）、売切ランプ（不図示）等を内蔵し、複数の煙草商品の見本１０６と１対１に対応するパネル１０４の前面下部に設けられるものである。前記販売可ランプは、利用者が最低１個（または１組）の煙草商品を購入可能な硬貨投入または紙幣挿入を行った場合、自動販売機１００の内部で煙草商品を有する商品収容室１２４に対応する商品選択釦１１４のものが点灯する。更に、前記売切ランプは、自動販売機１００の内部で商品収容室１２４が空になった場合、硬貨投入または紙幣挿入に関わらず、空の商品収容室１２４に対応する商品選択釦１１４のものが点灯する。販売可ランプが点灯中の何れかの商品選択釦１１４が押下された場合、この商品選択釦１１４に対応する煙草商品が商品収容室１２４から商品取出口１１６へ搬出される。返却レバー１１８（操作部）は、投入硬貨を返却口１２０から返却し、或いは、投入硬貨（または挿入紙幣）の金額から煙草商品の購入金額を減額した釣銭硬貨を返却するためのものである。シリンダー錠１２２は、接客用扉１０２を解錠または施錠するものである。尚、煙草商品は、商品収容室１２４内の鉛直方向に積載されるものとする。
【００１１】
＝＝＝自動販売機の制御構成＝＝＝
図１を参照しつつ、本発明にかかる自動販売機の制御構成について説明する。図１は、本発明にかかる自動販売機の制御構成を示すブロック図である。
【００１２】
ＲＯＭ２０２は、自動販売機１００の動作（接客動作、販売動作等）を制御するためのプログラムデータ、テーブルデータ等を予め記憶したものである。尚、ＲＯＭ２０２として、データを製造工程で焼き付け固定するマスクＲＯＭ、データを紫外線消去して新たに記憶するＥＰＲＯＭ、データを電気消去して新たに記憶するＥＥＰＲＯＭ（フラッシュＲＯＭを含む）等の不揮発性メモリを適用することとする。制御部２０４は、ＲＯＭ２０２から読み出されるプログラムデータの解読結果に従って、適宜の演算処理を実行して自動販売機１００の動作を制御するものである。尚、制御部２０４として、ＲＯＭ２０２のアドレスを指定するアドレスレジスタ、プログラムデータを解読するインストラクションデコーダ、演算処理を実行する演算論理ユニット、演算データを一時保持するアキュムレータ等を有するマイクロプロセッサを用いて構成することが可能である。ＲＡＭ２０６は、制御部２０２が演算処理する作業データ等を一時的に記憶するものである。尚、ＲＡＭ２０６として、ＳＲＡＭ等のバックアップ電源を必要とする揮発性メモリを適用することとする。しかし、ＲＡＭ２０６として、ＥＥＰＲＯＭ等の不揮発性メモリを適用することも可能である。タイマ２０８は、商品選択釦１１４に対応する商品収容室１２４の記号、煙草商品の現在価格、変更価格、現在価格から変更価格への変更日時等を表示部１１２に表示する時間を計時するものである。カウンタ２１０は、商品選択釦１１４に対応する商品収容室１２４の記号、煙草商品の現在価格、変更価格等を表示部１１２に切替表示する回数を計数するものである。入出力インターフェース２１２は、硬貨投入口１０８、紙幣挿入口１１０、表示部１１２、商品選択釦１１４、返却レバー１１８、リモコン１２６と制御部２０４との間のデータ送受信を仲介するものである。特に、入出力インターフェース２１２が介在することにより、制御部２０４は、硬貨投入口１０８からの硬貨金額を判別し、紙幣挿入口１１０からの紙幣金額を判別し、表示部１１２へ表示情報を出力し、商品選択釦１１４の押下釦を識別し、返却レバー１１８の操作を判別し、リモコン１２６からの入力操作情報を判別するものである。
【００１３】
＝＝＝商品収容室、商品選択釦、現在価格、変更価格、価格変更日時に関するテーブルデータ＝＝＝
図１、図２を参照しつつ、本発明にかかる自動販売機に適用するテーブルデータの一例について説明する。図２は、本発明にかかる自動販売機に適用するテーブルデータの一例を示す図である。テーブルデータは、商品収容室１２４の番号を基準として、商品選択釦１１４の番号、現在価格、変更価格、現在価格から変更価格への変更日時（変更年、変更月日、変更時）を対応付ける情報である。特に、変更日時は、全ての商品収容室１２４に共通する情報である。尚、本実施形態の自動販売機１００は、ＲＡＭ２０６がテーブルデータを記憶するものとする。但し、ＲＯＭ２０２がＥＥＰＲＯＭ等の書き替え可能な不揮発性メモリである場合、ＲＯＭ２０２がテーブルデータを記憶することも可能である。
【００１４】
テーブルデータをＲＡＭ２０６に記憶する場合、ルートマン等がリモコン１２６を用いてテーブルデータに関する入力操作を実行する必要がある。制御部２０４は、リモコン１２６からの入力操作情報を受信することにより、ＲＡＭ２０６のテーブルデータ用アドレスを指定し、更に、リモコン１２６の入力操作に基づくテーブルデータをＲＡＭ２０６に供給する。これにより、ＲＡＭ２０６は、図３のテーブルデータを記憶する。尚、商品収容室１２４に収容される煙草商品の現在価格を変更しない場合、テーブルデータにおける変更価格の欄は例えば０円（一定値）となる。
【００１５】
＝＝＝自動販売機の制御動作＝＝＝
図１、図２、図３、図４、図５を参照しつつ、本発明にかかる自動販売機の制御動作について説明する。図３は、本発明にかかる自動販売機の制御動作を示すフローチャートである。図４は、本発明にかかる自動販売機の表示動作の一例を示す図である。図５は、本発明にかかる自動販売機の表示動作の他の例を示す図である。尚、図３のフローチャートを実行する主体は制御部２０４である。
【００１６】
先ず、自動販売機１００は、硬貨投入口１０８からの硬貨金額または紙幣挿入口１１０からの紙幣金額に応じて、煙草商品を販売可能となる販売待機状態である。尚、ＲＡＭ２０６は、図２のテーブルデータを記憶しているものとする（Ｓ３００）。
【００１７】
制御部２０４は、煙草商品を販売可能な価値を有する硬貨が硬貨投入口１０８に投入されたか否か、煙草商品を販売可能な価値を有する紙幣が紙幣挿入口１１０に挿入されたか否かを判別する（Ｓ３０２）。制御部２０４は、煙草商品を販売可能な価値を有する硬貨が硬貨投入口１０８に投入されたものと判別するか、煙草商品を販売可能な価値を有する紙幣が紙幣挿入口１１０に挿入されたものと判別すると（Ｓ３０２：ＹＥＳ）、販売可能な煙草商品が収容される商品収容室１２４に対応する商品選択釦１１４の販売可ランプを点灯する。制御部２０４は、押下された商品選択釦１１４を判別し、この商品選択釦１１４に対応する商品収容室１２４内の煙草商品を商品取出口１１６へ搬出するための信号を出力する。これにより、商品収容室１２４内に収容される最下位置の煙草商品が商品取出口１１６へ搬出される（Ｓ３０４）。その後、ステップＳ３００を再度実行する。
【００１８】
制御部２０４は、煙草商品を販売可能な価値を有する硬貨が硬貨投入口１０８に投入されていないものと判別するか、煙草商品を販売可能な価値を有する紙幣が紙幣挿入口１１０に挿入されていないものと判別すると（Ｓ３０２：ＮＯ）、商品選択釦１１４が押下されたか否かを判別する（Ｓ３０６）。制御部２０４は、商品選択釦１１４が押下されたものと判別すると（Ｓ３０６：ＹＥＳ）、押下された商品選択釦１１４を特定し（Ｓ３０８）、押下された商品選択釦１１４に対応するＲＡＭ２０６のテーブルデータを参照する（Ｓ３１０）。そして、制御部２０４は、押下された商品選択釦１１４に対応する商品収容室１２４、煙草商品の現在価格、変更価格の情報をＲＡＭ２０６から読み出すとともに表示部１１２に供給する（Ｓ３１２）。これにより、表示部１１２は、タイマ２０８が計時する一定時間またはカウンタ２１０が計数する一定回数、押下された商品選択釦１１４に対応する商品収容室１２４の番号（例えばＣ３）、煙草商品の現在価格（例えば２５０円）、変更価格（例えば２７０円）を切替表示する（図４参照）。尚、表示部１１２における表示順序は、図４のみならず、適宜変更することも可能である。また、表示部１１２における表示種類は、図４の３種類のみならず、煙草商品の現在価格と変更価格の２種類とすることも可能である。更に、テーブルデータにおける全ての変更価格の欄が０円である場合、制御部２０４は、表示部１１２の表示を禁止する（Ｓ３１４）。その後、ステップＳ３００を再度実行する。
【００１９】
制御部２０４は、商品選択釦１１４が押下されていないものと判別すると（Ｓ３０６：ＮＯ）、返却レバー１１８が一定時間継続操作されたか否かを判別する。尚、タイマ２０８が返却レバー１０８の操作開始と同時に一定時間の計時を開始する（Ｓ３１６）。制御部２０４は、返却レバー１１８が一定時間継続操作されたものと判別すると（Ｓ３１６：ＹＥＳ）、ＲＡＭ２０６のテーブルデータを参照する（Ｓ３１８）。そして、制御部２０４は、現在価格から変更価格への変更日時を示す変更年、変更月日、変更時の情報をＲＡＭ２０６から読み出すとともに表示部１１２に供給する（Ｓ３２０）。これにより、表示部１２は、変更年（例えば２００３年）、変更月日（例えば１２月１０日）、変更時（例えば１時００分）を切替表示する（図５参照）。尚、表示部１１２は、変更年、変更月日、変更時を繰り返し表示することも可能である。また、表示部１１２における表示種類は、図５の３種類のみならず、変更年と変更月日の２種類とすることも可能である。更に、テーブルデータにおける全ての変更価格の欄が０円である場合、制御部２０４は、表示部１１２の表示を禁止する（Ｓ３２２）。その後、ステップＳ３００を再度実行する。
【００２０】
制御部２０４は、返却レバー１１８が一定時間継続操作されていないものと判別すると（Ｓ３１６：ＮＯ）、ステップＳ３０２を再度実行する。つまり、制御部２０４は、接客操作がない場合、ステップＳ３０２、Ｓ３０６、Ｓ３１６の判別を繰り返し実行することとなる。
【００２１】
以上より、販売商品の現在価格、変更価格、現在価格から変更価格への変更日時を設定後に再確認する場合、商品選択釦１１４、返却レバー１１８を操作すればよい。これにより、効率よく再確認でき、店主から迷惑がられることもなくなる。
【００２２】
＝＝＝その他の実施の形態＝＝＝
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００２３】
＜＜自動販売機＞＞
自動販売機は、煙草商品のみならず、飲料、アイスクリーム、菓子、雑誌等の商品を販売するものであっても、本発明の効果を奏することとなる。但し、自動販売機が煙草商品を販売する場合、煙草商品の価格改正は全国一斉であるため、本発明の効果は顕著となる。
【００２４】
＜＜操作部＞＞
操作部は、返却レバー１１８のみならず、複数の商品選択釦１１４を選択的に押下するものでもよい。これにより、返却レバー１１８の悪戯を防止することが可能となる。
【００２５】
＜＜表示部＞＞
投入硬貨金額、挿入紙幣金額、釣銭金額等を表示する表示部１１２を兼用するのみならず、専用の表示部を設けてもよい。これにより、商品収容室、現在価格、変更価格、現在価格から変更価格への変更日時の情報を複数のバリエーションで表示することが可能となる。
【図面の簡単な説明】
【００２６】
【図１】本発明にかかる自動販売機の制御構成を示すブロック図である。
【図２】本発明にかかる自動販売機に適用するテーブルデータの一例を示す図である。
【図３】本発明にかかる自動販売機の制御動作を示すフローチャートである。
【図４】本発明にかかる自動販売機の表示動作の一例を示す図である。
【図５】本発明にかかる自動販売機の表示動作の他の例を示す図である。
【図６】自動販売機の接客用扉を閉塞した状態を示す斜視図である。
【図７】自動販売機の接客用扉を開放した状態を示す斜視図である。
【符号の説明】
【００２７】
１００  自動販売機
１１２  表示部
１１４  商品選択釦
１１８  返却レバー
１２４  商品収容室
１２６  リモコン
２０２  ＲＯＭ
２０４  制御部
２０６  ＲＡＭ
２０８  タイマ
２１０  カウンタ
２１２  入出力インターフェース
【図１】
2005174080.tif 000003
【図２】
2005174080.tif 000004
【図３】
2005174080.tif 000005
【図４】
2005174080.tif 000006
【図５】
2005174080.tif 000007
【図６】
2005174080.tif 000008
【図７】
2005174080.tif 000009